(57)【要約】  【課題】  カレントトランスなどの検知部が故障した場合などにも、逆潮流の発生を未然に防ぐことが可能なコージェネレーションシステムを提供する。  【解決手段】  本発明のコージェネレーションシステム１には、発電部１０と、余剰電力使用部１２と、検知部１３と、制御部１５とが設けられ、外部電源８０の引き込み線８０ａの電流は検知部１３で検知される。そして、引き込み線８０ａでの電力の方向を、余剰電力使用部１２の使用電力を変化させて確認する。【選択図】  図１
2006280159.tif 000002
【特許請求の範囲】
【請求項１】
発電可能な発電部と、使用電力を可変させることができる余剰電力使用部と、前記発電部及び余剰電力使用部の運転を制御することができる制御部とを有し、前記発電部及び余剰電力使用部は、外部電源及び電力使用装置と接続されており、
外部電源は、外部から電気を供給することができるものであり、電力使用装置は、発電部及び外部電源から供給される電気を使用することができるものであり、外部電源の引き込み線の電流、又は、外部電源の引き込み線に流れる電力を確認することができる検知部が設けられ、検知部によって出力される出力値により外部電源に対して流出入する電流又は電力を確認することができ、
発電中に検知部によって出力された出力値が検知部の故障時に出力される出力値近傍となった場合に、余剰電力使用部の使用電力を変化させ、当該変化による検知部の出力値の変化により、検知部の故障の有無を確認することができ、検知部が故障であると判断した場合には、発電部を停止するように制御するものであり、
余剰電力使用部の使用電力を変化させる操作は、増加操作及び減少操作のいずれの操作も可能であり、余剰電力使用部の能力と余剰電力使用部の使用電力とを比較して、増加操作又は減少操作を選択するものであることを特徴とするコージェネレーションシステム。
【請求項２】
余剰電力使用部の使用電力を減少操作させる場合には、逆潮流の許容時間を超えない時間だけ行うものであることを特徴とする請求項１に記載のコージェネレーションシステム。
【請求項３】
検知部が故障であると判断した場合に、所定の情報を使用者に報知する報知部が設けられていることを特徴とする請求項１又は２に記載のコージェネレーションシステム。
【発明の詳細な説明】
【技術分野】
【０００１】
本発明はコージェネレーションシステムに関するものである。
【背景技術】
【０００２】
従来より、コージェネレーションシステムが用いられている。そして、コージェネレーションシステムは、エンジンなどを運転して発電及び発熱するものであり、発電によって発生した電気を外部に設置された電化製品などに用い、また、発熱によって発生した熱を暖房や給湯などに用いる。
【０００３】
電化製品などの電力使用量とエンジンなどで発電した発電量とを、できるだけ差を無くすのが望ましいが、使用者の電気使用量を完全に予測することができない。そのため、このような電化製品は、商用電源の電気も使用することができる構成となっており、電気の使用量が多い場合には、商用電源から不足分の電気を供給する。そして、利便性を維持しつつ、省エネルギーを図ることが行われている。
【０００４】
このようなコージェネレーションシステムは、特許文献１等に記載されている。
【特許文献１】特開２００４−９２４５８号公報
【発明の開示】
【発明が解決しようとする課題】
【０００５】
電化製品の電気の使用量が少ない場合には発電された電気が余るが、上記したように、商用電源と接続されている場合には、この発電された電気が商用電源側に逆流する、逆潮流が発生する。
【０００６】
逆潮流の発生は商用電源側の電圧上昇などにより問題となる場合がある。そのため、逆潮流をできるだけ発生させないようにする必要がある。また、仮に逆潮流が発生した場合にも、所定の時間内（例えば３５０ミリ秒以内）として、このような問題が発生しないようにする必要がある。
そのため、商用電源の引き込み線の電流又は電力を監視し、また、余剰電力使用部（例えばヒータ）を接続する構成として、逆潮流が発生、又は、発生するおそれがある場合に、この余剰電力使用部を作動させて電気を有効に使用してエネルギーを無駄にすることなく、逆潮流による問題を防止するようにしている。
【０００７】
商用電源の引き込み線の電流又は電力の監視は、カレントトランスなどが用いられている。カレントトランスは、交流の電流を非接触で測定することができるものであるので、設置しやすいという利点がある。
しかしながら、カレントトランスが断線などによって故障している場合、電流や電力の監視ができなくなり、エンジンや余剰電力使用部の正しい制御が困難となってしまう。
【０００８】
また、カレントトランスが断線などによって故障している場合には、カレントトランスに電流が流れなくなるので、商用電源の引き込み線の電流が流れていない状態と同じ状態と判断してしまう。
商用電源の引き込み線に電流が流れず、電力の流れを生じない状態は、コージェネレーションシステムの運転中にも発生する。そのため、カレントトランスに電流が流れなくなった状態を検出することにより、カレントトランスの故障判定として用いることができない。特に、商用電源の引き込み線の電流が流れていない状態は、商用電源による電気が使用されず、発電された電気と使用される電気が同じとなる状態であり、省エネルギー性が高い状態である。そのため、コージェネレーションシステムはこのような状態となるように運転の制御が行われるので、このような状況が発生しやすい。
【０００９】
さらに、カレントトランスなどの故障を判定する故障判定手段を新たに設けるのは、装置が複雑となって実用的でない。
そして、カレントトランスなどの故障を判定するため、余剰電力使用部によって電気を使用して、電力の流れの変化を確認する方法が考えられるが、余剰電力使用部を最大能力付近で使用している場合には、このような方法を用いることができない。
【００１０】
そこで、本発明は、カレントトランスなどの検知部が故障した場合などにも、逆潮流の発生を未然に防ぐことが可能なコージェネレーションシステムを提供することを課題とするものである。
【課題を解決するための手段】
【００１１】
そして、上記した目的を達成するための請求項１に記載の発明は、発電可能な発電部と、使用電力を可変させることができる余剰電力使用部と、前記発電部及び余剰電力使用部の運転を制御することができる制御部とを有し、前記発電部及び余剰電力使用部は、外部電源及び電力使用装置と接続されており、外部電源は、外部から電気を供給することができるものであり、電力使用装置は、発電部及び外部電源から供給される電気を使用することができるものであり、外部電源の引き込み線の電流、又は、外部電源の引き込み線に流れる電力を確認することができる検知部が設けられ、検知部によって出力される出力値により外部電源に対して流出入する電流又は電力を確認することができ、発電中に検知部によって出力された出力値が検知部の故障時に出力される出力値近傍となった場合に、余剰電力使用部の使用電力を変化させ、当該変化による検知部の出力値の変化により、検知部の故障の有無を確認することができ、検知部が故障であると判断した場合には、発電部を停止するように制御するものであり、余剰電力使用部の使用電力を変化させる操作は、増加操作及び減少操作のいずれの操作も可能であり、余剰電力使用部の能力と余剰電力使用部の使用電力とを比較して、増加操作又は減少操作を選択するものであることを特徴とするコージェネレーションシステムである。
【００１２】
請求項１に記載の発明によれば、発電部及び余剰電力使用部は、外部電源及び電力使用装置と接続され、外部電源の引き込み線の電流又は電力を確認することができる検知部が設けられており、余剰電力使用部の使用電力を変化させて、当該変化による検知部の出力値の変化により、検知部の故障を確認することができ、検知部の故障による逆潮流の発生を防止することができる。また、検知部が故障であると判断した場合には、発電部を停止するように制御するものであるので、逆潮流の発生を未然に防ぐことができる。
また、余剰電力使用部の能力と余剰電力使用部の使用電力とを比較して、増加操作又は減少操作を選択して、余剰電力使用部の使用電力を変化させるので、通常は使用電力を増加操作させることが可能となり、使用電力を減少操作させた場合に発生の可能性のある逆潮流の発生を低減することができる。
【００１３】
請求項２に記載の発明は、余剰電力使用部の使用電力を減少操作させる場合には、逆潮流の許容時間を超えない時間だけ行うものであることを特徴とする請求項１に記載のコージェネレーションシステムである。
【００１４】
請求項２に記載の発明によれば、余剰電力使用部の使用電力を減少操作させる場合には、逆潮流の許容時間を超えない時間だけ行うものであるので、余剰電力使用部による使用電力を減少変化させた場合に発生の可能性のある逆潮流の発生時間を短時間とすることができる。
【００１５】
請求項３に記載の発明は、検知部が故障であると判断した場合に、所定の情報を使用者に報知する報知部が設けられていることを特徴とする請求項１又は２に記載のコージェネレーションシステムである。
【００１６】
請求項３に記載の発明によれば、検知部が故障であると判断した場合に、所定の情報を使用者に報知する報知部が設けられているので、使用者は異常が有ったことを確認することができる。
【発明の効果】
【００１７】
本発明のコージェネレーションシステムによれば、検知部が故障した場合などにも、逆潮流の発生を未然に防ぐことができる。
【発明を実施するための最良の形態】
【００１８】
以下さらに本発明の具体的実施例について説明する。図１は、本発明のコージェネレーションシステムを示すブロック図である。図２は、本発明のコージェネレーションシステムの制御を示すフローチャートである。図３は、検知部の故障を判定する方法を示すフローチャートである。
【００１９】
本発明の第１の実施形態におけるコージェネレーションシステム１は、図１に示されるように、発電部１０、余剰電力使用部１２、検知部１３、熱貯留部１４、制御部１５、報知部１６が設けられている。
【００２０】
発電部１０は、具体的には燃料によって運転を行うことができるエンジンであり、発電部１０を運転させることによって、発電及び発熱し、電気と熱を供給することができる。
そして、発電部１０は余剰電力使用部１２と接続されて余剰電力使用部１２に電気を供給することができ、さらに、発電部１０及び余剰電力使用部１２は、配電盤８４を介して外部電源８０や電力使用装置８１と接続されている。
【００２１】
また、熱貯留部１４は、外部に設けられた熱使用装置８２に接続されており、熱貯留部１４の熱を熱使用装置８２へ供給することができる。熱使用装置８２は、具体的には給湯装置である。
【００２２】
外部電源８０は、外部から電気を供給することができるものであって、具体的には商用電源が接続される。また、このコージェネレーションシステム１と外部電源８０とは引き込み線８０ａを介して接続され、外部電源８０から供給される電気は全て引き込み線８０ａを流れる。そして、外部電源８０は、配電盤８４を介して、電力使用装置８１、発電部１０、余剰電力使用部１２と、常時、接続されている。
また、電力使用装置８１は、外部に設置される装置であり、発電部１０及び外部電源８０から供給される電気を使用することができるものである。具体的には、冷蔵庫や洗濯機などの家電製品である。
【００２３】
余剰電力使用部１２は、具体的には電気ヒータであり、複数の電気ヒータが使用されている。そして、余剰電力使用部１２は、タンクである熱貯留部１４内に配置され、熱貯留部１４内の熱媒体である水を加熱することができる。
【００２４】
検知部１３は非接触式のものが用いられており、カレントトランス１３ａと、電力演算用ＩＣ１３ｂとを有している。そして、検知部１３から電力出力値Ｓ及び電流出力値Ｉが出力され、電力出力値Ｓにより外部電源８０の引き込み線８０ａに流れる電力を確認することができ、電流出力値Ｉにより外部電源８０の引き込み線８０ａに流れる電流を確認することができ、外部電源８０に対して流出入する電流又は電力を確認することができる。
【００２５】
カレントトランス１３ａは、引き込み線８０ａ付近に設置されている。そして、引き込み線８０ａの電流に応じて検出電流データが出力される。そして、このカレントトランス１３ａの出力側の配線は電力演算用ＩＣ１３ｂに接続されており、カレントトランス１３ａから出力された検出電流データがに入力される。
また、コージェネレーションシステム１内の配線の電圧の位相は、外部電源８０に同期しており、図１に示されるように、電力演算用ＩＣ１３ｂをコージェネレーションシステム１内の配線に接続することにより、外部電源８０の出力電圧データが電力演算用ＩＣ１３ｂに入力される。
【００２６】
そして、カレントトランス１３ａから出力された交流の電圧信号（電流信号が電圧に変換されたもの）と、外部電源８０の電圧信号とが電力演算用ＩＣ１３ｂに入力され、この信号に基づいて電力演算用ＩＣ１３ｂから電力出力値Ｓ及び電流出力値Ｉが制御部１５に出力される。
【００２７】
電力演算用ＩＣ１３ｂでの具体的な演算は、カレントトランス１３ａから出力された交流の電圧信号をＡ／Ｄ変換し、また、外部電源８０の電圧信号をＡ／Ｄ変換して、これらを乗じ、この乗じた値に基づいて電力出力値Ｓが演算される。
また、カレントトランス１３ａから出力された交流の電圧信号をＡ／Ｄ変換し、この値を２乗し、所定の周期で積算して平均した値に基づいて電流出力値Ｉが演算される。
そして、この電力出力値Ｓ及び電流出力値Ｉは制御部１５に出力される。
このように演算されるので、電力出力値Ｓは正〜負の値の範囲で出力される。また、電流出力値Ｉは０以上の値の範囲で出力される。そして、電力出力値Ｓの絶対値は引き込み線８０ａの電力に比例し、また、電力出力値Ｓの値の正負の符号は、引き込み線８０ａでの電力の流れの方向に対応し、逆潮流かどうかを判断することができる。また、引き込み線８０ａの電流値が大きくなるほど、電流出力値Ｉが大きくなる。
【００２８】
なお、カレントトランス１３ａの引き込み線８０ａに設置される向きによって、電力出力値Ｓの正負の符号は反対となり、逆潮流かどうかの判断が逆となってしまうこととなる。
そのため、コージェネレーションシステム１を設置する際に、発電部１０を作動させずに余剰電力使用部１２を作動させて電力出力値Ｓの値が正の値か負の値かどうかを確認して、制御部１５などに設けられた図示しない記憶部などにこの情報を記憶しておく。そして、実使用時に電力出力値Ｓがこの記憶された正負の符号と合致した場合には、正常潮流、合致しない場合には逆潮流と判定する。
【００２９】
検知部１３はこのようなものを用いているので、引き込み線８０ａを切断することなく設置することができ、電力出力値Ｓを確認することができる。
なお、直流に整流する回路をカレントトランス１３ａ及び制御部１５との間に設け、制御部１５に出力するようにしてもよい。この場合には、出力される値は引き込み線８０ａでの電流値に比例する。
【００３０】
熱貯留部１４は、具体的には水を加熱することにより生成した湯を貯留することができるタンクであり、使用者はこの湯を用いることができる。水の加熱は、発電部１０の運転の際に発生する熱や、余剰電力使用部１２を使用する場合に発生する熱を用いて行われる。余剰電力使用部１２の熱を用いる場合、エンジンを循環する循環水を加熱して、この加熱された熱を用いて、熱貯留部１４内の水を加熱することができる。
さらに、熱貯留部１４で貯留された熱は、外部に設けられた熱使用装置８２で使用することができる。熱使用装置８２の例としては、給湯装置などがある。
【００３１】
制御部１５は、発電部１０及び余剰電力使用部１２の運転を制御するものである。そして、制御部１５によって、発電部１０及び余剰電力使用部１２の稼働状態・停止状態の選択や、稼働状態の場合での発電量Ｈや使用電力Ｅなどの調整を行うことができる。
本実施形態のように、発電部１０がガスエンジンの場合には、発電部１０が運転状態の時には発電量Ｈがほぼ一定値であるので、必要に応じて余剰電力使用部１２の使用電力Ｅを調整する。また、発電部１０が燃料電池の場合には、発電量Ｈを変更することができるので、発電部１０の発電量Ｈ及び余剰電力使用部１２の使用電力Ｅの一方又は両方を必要に応じて調整する。
【００３２】
制御部１５は、検知部１３によって検知される電力出力値Ｓや電流出力値Ｉによって制御が行われている。この電力出力値Ｓや電流出力値Ｉは、前記したように、引き込み線８０ａの電力や電流に対応して増加・減少するものであり、外部電源８０から供給される電力をできるだけ小さくするようにして、省エネルギーとなるように発電部１０や余剰電力使用部１２の運転の制御が行われる。
【００３３】
そして、検知部１３による電力出力値Ｓなどにより、発電部１０や、余剰電力使用部１２の運転を制御する。また、この制御部１５による制御は、他の条件、例えば、電気や熱の必要量を予測した値を用いて発電部１０や、余剰電力使用部１２を制御することもできる。
【００３４】
上記のように、検知部１３は、引き込み線８０ａでの電力の流れの方向を確認するのに必要なものである。しかしながら、カレントトランス１３ａが断線などによって破損した場合には、電力出力値Ｓは常に０付近となる。このような場合、発電部１０で発電された電気と、余剰電力使用部１２及び電力使用装置８１で使用される電気とが釣り合っているのかどうかが判断できない。
【００３５】
そのため、検知部１３の故障によって電力出力値Ｓが０となっているのに、発電されている電力と使用される電力とが釣り合っていると判断してしまうと、正常に制御できなくなって省エネルギーとならないだけでなく、逆潮流を防止することができない。
【００３６】
そこで、本発明のコージェネレーションシステム１では、このようなことが発生しないように、以下のような制御が行われる。
なお、上記したように、カレントトランス１３ａの引き込み線８０ａに設置される向きによって、電力出力値Ｓの正負の符号は反対となり、逆潮流かどうかの判断など、電力出力値Ｓによる判断が逆となってしまうこととなる。そのため、以下に示す実施形態の説明では電力出力値Ｓの符号が正の時には、電力の流れは、外部電源８０からコジェネレーションシステム１への方向、すなわち、正常潮流となる場合について説明する。そして、カレントトランス１３ａの引き込み線８０ａに設置される向きが、この場合とは逆の場合には、電力出力値Ｓによる判断において、増加・減少が逆となるように制御される。
【００３７】
図３に示されるように、余剰電力使用部１２の使用電力Ｅを確認して、余剰電力使用部１２の能力と比較し、使用電力Ｅを増加操作するか減少操作するかを判断する（ＳＴＥＰ３０〜３５）。使用電力Ｅの増加操作は、余剰電力使用部１２での電力の使用を多くして使用電力Ｅを増加させ、使用電力Ｅの減少操作は、余剰電力使用部１２での電力の使用を少なくして使用電力Ｅを減少させるものである。
【００３８】
具体的には、まず、ＳＴＥＰ３０で、余剰電力使用部１２の使用電力Ｅを確認する。そして、余剰電力使用部１２の能力と、使用電力Ｅとを比較して、使用電力Ｅが能力の上限付近かどうかを確認する（ＳＴＥＰ３１）。そして、上限付近でない場合には、ＳＴＥＰ３２に進む。この場合には、使用電力Ｅを増加操作することが可能であるので使用電力Ｅを増加操作して、電力出力値Ｓの変化を確認し（ＳＴＥＰ３３）、電力出力値Ｓが増加変化したかどうかを確認する（ＳＴＥＰ３４）。
【００３９】
そして、電力出力値Ｓが増加変化した場合にはＳＴＥＰ３８に進み、正常判定する。また、増加変化しない場合には、ＳＴＥＰ３９に進み、故障判定する。
【００４０】
また、ＳＴＥＰ３１の説明に戻るが、余剰電力使用部１２の使用電力Ｅが能力の上限付近の場合には、余剰電力使用部１２の使用電力Ｅを増加させることができないので、ＳＴＥＰ３５に進み、使用電力Ｅを減少変化させる操作を行う。そして、電力出力値Ｓの変化を確認し（ＳＴＥＰ３６）、電力出力値Ｓが減少変化したかどうかを確認する（ＳＴＥＰ３７）。
電力出力値Ｓが減少変化した場合には、ＳＴＥＰ３８に進み、正常判定する。また、減少変化しない場合には、ＳＴＥＰ３９に進み故障判定する。
上記の電力出力値Ｓの変化を確認する場合、元々電力出力値Ｓは０付近であるので、この値から変化するかどうかを確認する。
【００４１】
検知部１３の故障を判定する場合に、使用電力Ｅを変化させれば、検知部１３の故障の判定ができる。しかし、使用電力Ｅを減少させると、発電部１０からの電気が余って外部電源８０へ流れて逆潮流が発生しやすくなる。そこで、上記した方法のように、使用電力Ｅが余剰電力使用部１２の上限付近でない場合などの特別な場合以外は、原則として、使用電力Ｅを増加させて変化させることが望ましい。
また、使用電力Ｅを減少させて判定する場合には、逆潮流が発生した場合にもできるだけ短時間となるように、変化をさせる時間を、逆潮流の許容時間を超えない時間だけ行うようにすることが望ましい。具体的には、逆潮流の許容時間が３５０ミリ秒である場合に、使用電力Ｅを変化させてその状態を維持する時間を１００ミリ秒とする。
【００４２】
電力出力値Ｓは、引き込み線８０ａに流れる電力に対応する値となるので、外部に設けられる電力使用装置８１の使用電力Ｅ１及び使用電力Ｅの合計と、発電部１０での発電量Ｈとがほぼ等しい時には、電力出力値Ｓが０付近となることがある。
【００４３】
そのため、電力出力値Ｓが０になった場合すぐに判定操作を行うと、頻繁に判定操作が行われてしまう。そこで、このような場合に、頻繁に判定操作がされないように、一定時間連続して電力出力値Ｓが０付近となった場合に、この判定を行うようにすることができる。すなわち、故障して電力出力値Ｓが０付近となった場合には、その状態が続くが、使用電力Ｅ１と使用電力Ｅとの合計が、発電量Ｈと等しい場合には、一時的な場合が多いので、このように制御することにより、故障の場合には確実に判定操作して、判定操作の発生頻度を小さくすることができる。
このように制御を行う場合には、電力出力値Ｓを連続的、或いは、断続的に出力するようにし、一定期間の電力出力値Ｓが連続して０付近となることにより、判定操作を行い、余剰電力使用部１２の使用電力Ｅを変化させる。
【００４４】
本発明のコージェネレーションシステム１の具体的な制御は、以下の通りである。
図２に示すように、発電部１０を運転し（ＳＴＥＰ１）、出力される出力値Ｓを検知しする（ＳＴＥＰ２）。そして、この電力出力値Ｓが０であるかどうかを判断する（ＳＴＥＰ３）。電力出力値Ｓが０であった場合には、ＳＴＥＰ４で所定の時間の経過を待ち、所定の時間の間、電力出力値Ｓが０を維持し続けた場合には、ＳＴＥＰ５に進み、図３に示す検知部１３の故障判定操作を行う。
なお、この電力出力値Ｓの０の判定は、検知部１３が故障した場合に出力する値であり、０付近の値も含むものである。
【００４５】
そして、故障判定操作により故障判定を行い（ＳＴＥＰ６）、故障判定がされた場合、発電部１０を停止し（ＳＴＥＰ７）、さらに、報知部１６によって所定の情報を使用者に報知する（ＳＴＥＰ１２）。この報知は、操作用のリモコンなどに表示したり、音声により報知することもできる。この使用者に報知される所定の情報としては、検知部１３が故障した旨の情報でも良く、故障の詳細な内容を表示することなく、単に故障である旨の情報でも良い。
【００４６】
このように、故障判定がされた場合には、発電部１０を停止させることにより、逆潮流が発生するおそれがなくなる。
また、故障判定とならなかった場合には、再びＳＴＥＰ２に戻り、同様の動作を繰り返す。
【００４７】
ＳＴＥＰ３で電力出力値Ｓが０とならなかった場合には、ＳＴＥＰ８に進み、引き込み線８０ａを流れる電力の方向の判定を行うかどうかを判断する。この判断は、所定の時間間隔で実施しても良く、何らかの条件を元に実施しても良く、常に行っても良い。そして、引き込み線８０ａに流れる電力の方向の判定を行うと判断されると、逆潮流状態かどうかが確認される（ＳＴＥＰ１０）。
【００４８】
そして、電力出力値Ｓが負の値の場合、ＳＴＥＰ１０で逆潮流と判定され、逆潮流回避操作が行われる（ＳＴＥＰ１１）。この逆潮流回避操作は、コージェネレーションシステム１で余る電力（発電量Ｈから余剰電力使用部１２の使用電力Ｅを引いたもの）を電力使用装置８１で消費される電力よりも小さくするものであり、具体的には、発電部１０の発電量Ｈを小さくしたり、余剰電力使用部１２の使用電力Ｅを大きくしたりする。
そして再びＳＴＥＰ２に戻り、同様の動作を繰り返す。
【００４９】
このように、本発明のコージェネレーションシステム１では、カレントトランス１３ａが故障した場合などにも、逆潮流の発生を未然に防ぐことができる。
【００５０】
そして、引き込み線８０ａに電流がほとんど流れない場合など、検知部１３による電力出力値Ｓが０付近である場合には、通常は、このような余剰電力使用部１２の使用電力Ｅを変化させることはないが、本発明のコージェネレーションシステム１では、このような場合に余剰電力使用部１２の使用電力Ｅを変化させて、カレントトランス１３ａの故障などを確認することができる。
【００５１】
また、上記した電力出力値Ｓは、引き込み線８０ａに流れる電力に比例する値であったが、電流に比例する値を用いることができる。この場合には、電流出力値Ｉを用いても良く、また、直流に整流する回路をカレントトランス１３ａ及び制御部１５との間に設け、制御部１５に出力するようにすることができる。
【図面の簡単な説明】
【００５２】
【図１】本発明のコージェネレーションシステムを示すブロック図である。
【図２】本発明のコージェネレーションシステムの制御を示すフローチャートである。
【図３】検知部の故障を判定する方法を示すフローチャートである。
【符号の説明】
【００５３】
１    コージェネレーションシステム
１０  発電部
１２  余剰電力使用部
１３  検知部
１５  制御部
１６  報知部
８０  外部電源
８０ａ  引き込み線
８１  電力使用装置
Ｅ    使用電力
Ｈ    発電量
Ｓ    電力出力値
【図１】
2006280159.tif 000003
【図２】
2006280159.tif 000004
【図３】
2006280159.tif 000005